(57)【要約】【課題】  エコー画像データを用いて、画像信号強度変化の位相周期を高精度に求めることが可能であり、また、Ｔ２＊減衰による誤差の補正が可能であり、これらにより脂肪含有率を高精度に算出可能であり、さらに、脂肪含有率が５０％を超える場合にも脂肪含有率が算出可能なデータ処理装置、そのエコー画像データを得ることが可能な磁気共鳴撮像装置、及び、そのエコー画像データを得ることが可能な磁気共鳴画像装置の撮像方法を提供する。【解決手段】  特定位置につきエコー時間の異なる三つ以上のエコー画像データを用いる。その三つ以上の各エコー画像データの画像信号強度の変化について、所定の理論式によりカーブフィッティングを行う。さらに、Ｔ２＊減衰の影響を補正したり、求められる位相周期／２における画像信号強度や実数値画像を用いて脂肪含有率を算出したりする。【選択図】  図１
2006149583.tif 000002
【特許請求の範囲】
【請求項１】
磁気共鳴撮像装置により得られるエコー画像データを処理するデータ処理装置において、当該エコー画像データは、特定位置につきエコー時間の異なる三つ以上のエコー画像データであり、当該三つ以上の各エコー画像データの画像信号強度の変化について、所定の理論式によりカーブフィッティングを行う手段を備えることを特徴とするデータ処理装置。
【請求項２】
前記理論式には、水信号と脂肪信号の位相差の項、及び／又は、水信号のＴ２＊減衰の項と脂肪信号のＴ２＊減衰の項が含まれていることを特徴とする請求項１記載のデータ処理装置。
【請求項３】
前記カーブフィッティングを行って得られる変数が決定された理論式から前記水信号のＴ２＊減衰の項と脂肪信号のＴ２＊減衰の項を除去する手段を備えることを特徴とする請求項１または請求項２記載のデータ処理装置。
【請求項４】
前記カーブフィッティングを行って得られる変数が決定された理論式から位相周期を求め、当該位相周期／２における画像信号強度を求める手段を備えることを特徴とする請求項１乃至請求項３のいずれか１項に記載のデータ処理装置。
【請求項５】
前記位相周期／２における画像信号強度を用いて、脂肪含有率を算出する手段を備えることを特徴とする請求項４に記載のデータ処理装置。
【請求項６】
絶対値画像である前記エコー画像データに対応する実数値画像の信号強度が負の場合は、前記算出した脂肪含有率を１００％から減算することを特徴とする請求項５に記載のデータ処理装置。
【請求項７】
前記カーブフィッティングを行って得られる変数が決定された理論式から、水の信号強度の初期値と脂肪の信号強度の初期値を算出し、両初期値を用いて脂肪含有率を算出する手段を備えることを特徴とする請求項１又は請求項２に記載のデータ処理装置。
【請求項８】
絶対値画像である前記エコー画像データに対応する実数値画像の信号強度の大きさにより、水と脂肪の信号強度の初期値の判別を行うことを特徴とする請求項７に記載のデータ処理装置。
【請求項９】
磁気共鳴撮像装置により得られるエコー画像データを処理するデータ処理方法において、当該エコー画像データは、特定位置につきエコー時間の異なる三つ以上のエコー画像データであり、当該三つ以上の各エコー画像データの画像信号強度の変化について、所定の理論式によりカーブフィッティングを行うステップを備えることを特徴とするデータ処理方法。
【請求項１０】
前記理論式には、水信号と脂肪信号の位相差の項、及び／又は、水信号のＴ２＊減衰の項と脂肪信号のＴ２＊減衰の項が含まれていることを特徴とする請求項９記載のデータ処理方法。
【請求項１１】
前記カーブフィッティングを行って得られる変数が決定された理論式から前記水信号のＴ２＊減衰の項と脂肪信号のＴ２＊減衰の項を除去するステップを備えることを特徴とする請求項９または請求項１０記載のデータ処理方法。
【請求項１２】
前記カーブフィッティングを行って得られる変数が決定された理論式から位相周期を求め、当該位相周期／２における画像信号強度を求めるステップを備えることを特徴とする請求項９乃至請求項１１のいずれか１項に記載のデータ処理方法。
【請求項１３】
前記位相周期／２における画像信号強度を用いて、脂肪含有率を算出するステップを備えることを特徴とする請求項１２に記載のデータ処理方法。
【請求項１４】
絶対値画像である前記エコー画像データに対応する実数値画像の信号強度が負の場合は、前記算出した脂肪含有率を１００％から減算することを特徴とする請求項１３に記載のデータ処理方法。
【請求項１５】
前記カーブフィッティングを行って得られる変数が決定された理論式から、水の信号強度の初期値と脂肪の信号強度の初期値を算出し、両初期値を用いて脂肪含有率を算出するステップを備えることを特徴とする請求項９又は請求項１０に記載のデータ処理方法。
【請求項１６】
絶対値画像である前記エコー画像データに対応する実数値画像の信号強度の大きさにより、水と脂肪の信号強度の初期値の判別を行うことを特徴とする請求項１５に記載のデータ処理方法。
【請求項１７】
請求項１乃至請求項８のいずれか１項に記載のデータ処理装置、又は、請求項９乃至請求項１６のいずれか１項に記載のデータ処理方法に用いられるエコー画像データを得る磁気共鳴撮像装置であり、特定位置につきエコー時間の異なる三つ以上のエコー画像データを得るためのパルスシーケンスを印加する手段を備えることを特徴とする磁気共鳴撮像装置。
【請求項１８】
請求項１乃至請求項８のいずれか１項に記載のデータ処理装置、又は、請求項９乃至請求項１６のいずれか１項に記載のデータ処理方法に用いられるエコー画像データを得る磁気共鳴撮像方法であり、特定位置につきエコー時間の異なる三つ以上のエコー画像データを得るためのパルスシーケンスを印加するステップを備えることを特徴とする磁気共鳴撮像方法。
【発明の詳細な説明】
【技術分野】
【０００１】
本発明は、磁気共鳴撮像装置により得られるエコー画像データの処理を行うデータ処理装置、データ処理方法、そのデータ処理装置又はデータ処理方法に用いられるエコー画像データを得るための磁気共鳴撮像装置、及び、磁気共鳴撮像方法に関するものであり、特に、そのエコー画像データから脂肪含有率を求めるものに関する。
【背景技術】
【０００２】
従来から、無侵襲であるＭＲＩを用いて人体の脂肪を定量評価するために、様々な脂肪含有率測定法が開発されてきた。具体的には、本システムの大本であるＤｉｘｏｎ法や周波数選択的測定法（ＳＰＩＲ）、二項パルス法（ＰｒｏＳｅｔ  ＷＳ法と、ＰｒｏＳｅｔ  ＦＳ法）などの手法である。なかでも特に、通常の二重ＧＲＥ  Ｄｉｘｏｎ法は、一度の息止めで目的部位のデータ収集が可能なために、呼吸による動きの影響や息止めの繰り返しによる位置ずれの問題がなく簡便であり、日常的に使用されるようになってきた。
【発明の開示】
【発明が解決しようとする課題】
【０００３】
しかし，この方法はＴ２＊減衰による誤差を全く無視しており、また、位相周期にずれが生じやすいため測定点が正確にｉｎ−ｐｈａｓｅとｏｕｔ−ｏｆ−ｐｈａｓｅ（ｏｐｐｏｓｅｄ−ｐｈａｓｅ）であるという保証がなく、このために、脂肪含有率の測定精度が高くないという問題を有していた。さらに、脂肪含有率が５０％を越えると，５０％以下の脂肪含有率と区別が付かなくなるという欠点があった。
【０００４】
また、位相周期のずれや、Ｔ２＊減衰による誤差は、エコー画像データから水画像や脂肪画像を分離生成する処理など、他の処理を行う場合においても、処理精度を低下させる要因の一つとなっていた。
【０００５】
そこで、本発明の目的は、エコー画像データを用いて、画像信号強度変化の位相周期を高精度に求めることが可能であり、また、Ｔ２＊減衰による誤差の補正が可能であり、これらにより脂肪含有率を高精度に算出可能であり、さらに、脂肪含有率が５０％を超える場合にも脂肪含有率が算出可能なデータ処理装置、データ処理方法、そのエコー画像データを得ることが可能な磁気共鳴撮像装置、及び、磁気共鳴撮像方法を提供することにある。
【課題を解決するための手段】
【０００６】
上述の目的を達成するために、本発明のデータ処理装置は、磁気共鳴撮像装置により得られるエコー画像データを処理するデータ処理装置において、当該エコー画像データは、特定位置につきエコー時間の異なる三つ以上のエコー画像データであり、当該三つ以上の各エコー画像データの画像信号強度の変化について、所定の理論式によりカーブフィッティングを行う手段を備えることを特徴とする。また、本発明のデータ処理方法は、磁気共鳴撮像装置により得られるエコー画像データを処理するデータ処理方法において、当該エコー画像データは、特定位置につきエコー時間の異なる三つ以上のエコー画像データであり、当該三つ以上の各エコー画像データの画像信号強度の変化について、所定の理論式によりカーブフィッティングを行うステップを備えることを特徴とする。ここで、前記エコー画像データは、ｏｕｔ−ｏｆ−ｐｈａｓｅとｉｎ−ｐｈａｓｅのグラディエントエコーのパルスシーケンスの組み合わせにより得られたものであることが好ましい。
【０００７】
この発明によれば、三つ以上のエコー画像データを用いてカーブフィッティングを行うため、カーブフィッティングにより得られる変数が決定された理論式（フィッティングカーブ）から位相周期を精度良く求めることができる。
【０００８】
前記データ処理装置／データ処理方法における理論式には、水信号と脂肪信号の位相差の項、及び／又は、水信号のＴ２＊減衰の項と脂肪信号のＴ２＊減衰の項が含まれていることを特徴とする。
【０００９】
また、本発明のデータ処理装置／データ処理方法は、前記カーブフィッティングを行って得られる変数が決定された理論式から前記水信号のＴ２＊減衰の項と脂肪信号のＴ２＊減衰の項を除去する手段／ステップを備えることが好ましい。この発明によれば、水信号と脂肪信号の各々のＴ２＊減衰の項を除去することにより、Ｔ２＊減衰の補正を行うことができる。
【００１０】
また、本発明のデータ処理装置／データ処理方法は、前記カーブフィッティングを行って得られる変数が決定された理論式（フィッティングカーブ）から位相周期を求め、当該位相周期／２における画像信号強度を求める手段／ステップを備えることを特徴とする。この発明によれば、位相周期／２におけるｏｕｔ−ｏｆ−ｐｈａｓｅとｉｎ−ｐｈａｓｅの画像信号強度を精度良く求めることができる。
【００１１】
また、本発明のデータ処理装置／データ処理方法は、前記位相周期／２における画像信号強度を用いて、脂肪含有率を算出する手段／ステップを備えることを特徴とする。この発明によれば、脂肪含有率を精度良く算出することができる。なお、脂肪含有率に限らず、水含有率や、水と脂肪との比率を求めても良い。
【００１２】
また、本発明のデータ処理装置／データ処理方法は、絶対値画像である前記エコー画像データに対応する実数値画像の信号強度が負の場合は、前記算出した脂肪含有率を１００％から減算することを特徴とする。この発明によれば、脂肪含有率が５０％以上である場合にも、脂肪含有率を算出することが可能となる。
【００１３】
また、本発明のデータ処理装置／データ処理方法は、前記カーブフィッティングを行って得られる変数が決定された理論式（フィッティングカーブ）から、水の信号強度の初期値と脂肪の信号強度の初期値を算出し、両初期値を用いて脂肪含有率を算出する手段／ステップを備えることを特徴とする。この発明によれば、位相周期の補正と、Ｔ２＊減衰の補正とが行われたこととなり、脂肪含有率を精度良く算出することができる。なお、脂肪含有率に限らず、水含有率や、水と脂肪との比率を求めても良い。
【００１４】
本発明のデータ処理装置／データ処理方法は、絶対値画像である前記エコー画像データに対応する実数値画像の信号強度の大きさにより、水と脂肪の信号強度の初期値の判別を行うことを特徴とする。この発明によれば、脂肪含有率が５０％以上である場合にも、脂肪含有率を算出することが可能となる。
【００１５】
上記データ処理装置、又は、上記データ処理方法に用いられるエコー画像データを得る磁気共鳴撮像装置／磁気共鳴撮像装置の撮像方法であり、特定位置につきエコー時間の異なる三つ以上のエコー画像データを得るためのパルスシーケンスを印加する手段／ステップを備えることを特徴とする。この発明によれば、一回の息止めにおいて、同一位置のエコー画像データを精度良く得ることができる。
【発明の効果】
【００１６】
本発明のデータ処理装置／データ処理方法によれば、画像信号強度の変化につき、位相周期やＴ２＊減衰による誤差が補正され、様々なエコー画像データの処理精度の向上に有効である。とくに、脂肪含有率を算出する処理において有効であり、脂肪含有率の測定精度を飛躍的に向上させることができる。また、実数値画像を利用することにより、脂肪含有率が５０％を超える場合でも、脂肪含有率の算出が可能となる。本発明のデータ処理装置は、例えば、脂肪肝の診断や治療効果判定、脂肪化を伴った肝細胞癌の検出及び評価、放射線照射に伴う脂肪変性の検出などを簡易且つ高精度に行うことができる。また、本発明の磁気共鳴撮像装置／磁気共鳴撮像装置の撮像方法によれば、上記データ処理装置／データ処理方法において使用されるエコー画像データを得ることができる。１回の息止めで多くのエコー画像データを得ることができるため、検査なども簡単である。
【発明を実施するための最良の形態】
【００１７】
（第１の実施の形態）
図１（ａ）は、本実施の形態のデータ処理装置Ｓ１と、そのデータ処理装置Ｓ１に用いられるエコー画像データを得る磁気共鳴撮像装置Ｅを示す概念図であり、（ｂ）はデータ処理装置Ｓ１により実現されるデータ処理方法を説明する概略フローチャートである。
【００１８】
データ処理装置Ｓ１において用いられるエコー画像データＤ１，Ｄ２，Ｄ３，Ｄ４は、磁気共鳴撮像装置Ｅにより得られる四つのエコー画像データである。磁気共鳴撮像装置Ｅには、特定位置（スライスの位置）につきエコー時間の異なる四つのエコー画像データを得るためのパルスシーケンスを印加するパルスシーケンス手段を備える。具体的には、特定位置に対して四重のグラディエントエコー画像を得るものである。たとえば、１．５Ｔ（テスラ）の場合は、エコー時間が２．３ｍｓ、４．６ｍｓ、６．９ｍｓ、９．２ｍｓとなる。また、第１エコーについては、絶対値画像に加えて実数値画像を得る。撮像時には、シミングと位相修正を行うことが好ましい。
【００１９】
なお、このパルスシーケンス手段は、三つ以上のエコー画像データが得られるものであれば良く、脂肪含有率の算出精度を高めるためには、より多くのエコー画像データを得るものであることが好ましい。また、このパルスシーケンス手段は、特定位置における同一スライスにおいて、エコー時間の異なる四つのエコー画像データを得るものであることが好ましいが、同一位置（同一スライス位置）におけるエコー画像データであれば、複数回のスライスによりエコー画像データが得られるものであっても良い。
【００２０】
本実施の形態のデータ処理装置Ｓ１は、エコー画像データから脂肪含有率を算出するものであり、ワークステーションやパーソナルコンピュータなどのコンピュータシステムにより実現され、コンピュータシステムに記憶されている特定のコンピュータプログラムにより後述する各手段を備えるデータ処理装置Ｓ１として機能するものである。データ処理装置Ｓ１は、後述するように、カーブフィッティングを行なう手段と、Ｔ２＊減衰の項を除去する手段と、各ｐｈａｓｅの画像信号強度を求める手段と、脂肪含有率を算出する手段を備える。そして、四つのエコー画像データＤ１，，，Ｄ４を磁気共鳴撮像装置Ｅから受信し、これらの画像Ｄ１，，，Ｄ４を用いて、上記各手段による下記の処理を順次実行し、脂肪含有率を算出する。なお、下記ステップは対応する上記各手段により実行される。
【００２１】
（カーブフィッティングを行うステップ）まず、各エコー画像データＤ１，，，Ｄ４の画像信号強度の変化を、下記の所定の理論式を用いて、カーブフィッティングを行う。数１の理論式には変数が代入され、フィッティングカーブＣ１が得られる。図２に、数１の理論式に変数を代入後のフィッティングカーブＣ１を示す。理論式には、水信号と脂肪信号との位相差と、水信号のＴ２＊減衰と、脂肪信号のＴ２＊減衰の項が組み込まれている。
【数１】
2006149583.tif 000003
ここで、IwとIf は、水と脂肪それぞれの信号強度、Iw0とIf0は水と脂肪の信号強度の初期値、Δωは水と脂肪の周波数差、T2*wとT2*fは水および脂肪のT2*値である。
【００２２】
（Ｔ２＊減衰の項を除去するステップ）つぎに、変数を代入後の変数が決定された理論式（フィッティングカーブＣ１）からＴ２＊減衰の項の除去を行う。Ｔ２＊減衰の項を除去することにより、Ｔ２＊減衰の影響を除去する補正を行うことができる。図２に、フィッティングカーブＣ１についてＴ２＊減衰の影響を除去する補正が行われた後のカーブＣ２を示す。
【００２３】
（信号強度を求めるステップ）つぎに、フィッティングカーブＣ１から位相周期を求め、フィッティングカーブＣ１又は補正後のカーブＣ２を用いて、上記位相周期／２におけるｏｕｔ−ｏｆ−ｐｈａｓｅの信号強度Ｉｏｕｔと、ｉｎ−ｐｈａｓｅの信号強度Ｉｉｎを得る。これにより、信号強度Ｉｏｕｔと信号強度Ｉｉｎを精度良く求めることができる。
【００２４】
（脂肪含有率を算出するステップ）つぎに、信号強度Ｉｏｕｔと信号強度Ｉｉｎを用いて脂肪含有率を算出する。脂肪含有率は、下記数２又は数３に各信号強度Ｉｏｕｔ，Ｉｉｎを代入することにより求める。実数画像の信号強度が０以上の場合は数２を用い、実数画像の信号強度が０よりも小さい場合は数３を用いる。これにより、脂肪含有率が５０％を超える場合でも、脂肪含有率を算出することができる。
【数２】
2006149583.tif 000004
【数３】
2006149583.tif 000005
【００２５】
（第２の実施の形態）
図３（ａ）は、本実施の形態の磁気共鳴撮像装置Ｅとデータ処理装置Ｓ２を説明する説明図であり、（ｂ）はデータ処理装置Ｓ２により実現されるデータ処理方法を説明する概略フローチャートである。本実施の形態のデータ処理装置Ｓ２は、カーブフィッティングを行う手段と、脂肪含有率を算出する手段とを備える。カーブフィッティングを行う手段は、第１の実施の形態と同一であるが、脂肪含有率を算出する手段は第１の実施の形態とは異なる。磁気共鳴撮像装置Ｅは、第１の実施の形態と同様である。
【００２６】
（脂肪含有率を算出するステップ）脂肪含有率を算出する手段は、変数が代入された理論式（フィッティングカーブＣ１）から、水の信号強度の初期値Ｉｗ０と、脂肪の信号強度の初期値Ｉｆ０を算出する。ここで、初期値Ｉｗ０と初期値Ｉｆ０の判別を次のように行う。
実数画像の信号強度≧0の場合  Iw0≧If0
実数画像の信号強度＜0の場合  Iw0＜If0
そして、下記の数４に初期値Ｉｗ０とＩｆ０を代入して、脂肪含有率を算出する。
【数４】
2006149583.tif 000006
これにより、第１の実施の形態のデータ処理装置Ｓ１と比較して、脂肪含有率をより直接的に算出することができ、演算量が削減される。
【００２７】
（使用方法の例）
本発明の磁気共鳴撮像装置とデータ処理装置を用いた場合の脂肪含有率測定方法の例を説明する。撮像対象を肝臓とすると、肝臓の非常に短いＴ２＊を補正するために、同一スライスにおいて、異なるエコー時間（ＴＥ）の組を、一度の息止めで二回連続して撮像（２Ｄグラディエントエコー（ＧＲＥ））して、四重のエコー画像データを得る。１．５テスラのＭＲシステムにおいて、最初の撮像のＴＥ（ｏｕｔ−ｏｆ−ｐｈａｓｅ）と、２番目の撮像のＴＥ（ｉｎ−ｐｈａｓｅ）は、各々２．３０ｍｓと６．９０ｍｓ、４．６０ｍｓと９．２ｍｓとする。フリップ角度は、水と脂肪におけるＴ１の違いの影響を除去するために１２度とする（ＴＲ＝１２２ｍｓ）。
【００２８】
その後、これらの四つのエコー画像データをデータ処理装置に取り込んで、装置内に記憶させる。データ処理装置は、所定のプログラムにより実現される上記各手段を用いたデータ処理方法に従い、脂肪含有率を算出し、出力手段から出力する。
【００２９】
（検証１）
本発明のデータ処理装置と磁気共鳴撮像装置の有用性を検証するために、図４に示すファントムを使用し、本発明の磁気共鳴撮像装置とデータ処理装置を用いて脂肪含有率を算出した場合（実施例）と、下記比較例１〜５とを比較する実験を行った。使用するファントムは種々の中性脂肪重量百分率（％）が入っている。比較例１〜５は下記の通りである。
【００３０】
（比較例１）二重エコーのグラディエントエコーを使用するＤｉｘｏｎ法（通常の二重ＧＲＥ  Ｄｉｘｏｎ法）により得られたデータと、下記脂肪含有率算出式を用いて脂肪含有率を算出した。
2006149583.tif 000007
ここで，IinとIoutはin-phaseとout-of-phase において測定した信号強度
【００３１】
（比較例２）ＳＰＩＲ法により得られたデータと、下記脂肪含有率算出式を用いて脂肪含有率を算出した。
2006149583.tif 000008
【００３２】
（比較例３）二項パルス  ＰｒｏＳｅｔ  ＷＳ法により得られたデータと、下記脂肪含有率算出式を用いて脂肪含有率を算出した。
2006149583.tif 000009
ここで、ＷＳは水の選択励起
【００３３】
（比較例４）二項パルス  ＰｒｏＳｅｔ  ＦＳ法により得られたデータと、下記脂肪含有率算出式を用いて脂肪含有率を算出した。
2006149583.tif 000010
ここで、ＦＳは脂肪の選択励起
【００３４】
（比較例５）Ｘ線を用いてＣＴ値を測定した。
【００３５】
表１に、実施例（ＤＤＧＲＥ）と上記各比較例１〜５との比較を示す。図５は、実施例と、各比較例１〜５について、実際の脂肪含有率と、算出された脂肪含有率との関係をグラフ化した図であり、（ａ）は実施例と比較例１に関するものであり、（ｂ）は比較例２，３，４に関するものであり、（ｃ）は比較例５に関するものである。
【表１】
2006149583.tif 000011
【００３６】
実施例（ＤＤＧＲＥ）は、算出された脂肪含有率が実際の脂肪含有率と最も良く一致した。比較例１（通常の二重ＧＲＥ  Ｄｉｘｏｎ法）は、短いＴ２＊の高い脂肪含有率において過大評価した（図５（ａ））。
【００３７】
比較例２（ＳＰＩＲ）は、算出された脂肪含有率が実際の脂肪含有率と良く一致していた (表１と図５（ｂ）)。しかし、一回の息止め撮像が困難であり、ＳＰＩＲの有る無しの場合において二度収集しなければならない。これに対して、実施例（ＤＤＧＲＥ）は、一回の息止め撮像が可能であるため、エコー画像にズレが生じにくく、一度の撮像により実施することが可能である。
【００３８】
比較例３（ＰｒｏＳｅｔ  ＷＳ）と比較例４（ＰｒｏＳｅｔ  ＦＳ）は、脂肪含有率の精度が、実施例（ＤＤＧＲＥ）よりも劣っていた (表１と図５（ｂ）)。
【００３９】
比較例５（Ｘ線ＣＴ値）は、算出された脂肪含有率と実際の脂肪含有率とが比較的に一致していたが(図５（ｃ）)、脂肪含有率を直接測定することができず、放射線被曝の問題もある。これに対して、実施例（ＤＤＧＲＥ）は、脂肪含有率を直接的に算出することが可能であり、安全性も高い。
【００４０】
以上より、比較例１〜５と比較して、実施例（ＤＤＧＲＥ）は、簡便かつ高精度で脂肪含有率を測定できると結論づける。
【００４１】
（検証２）
健康ボランティア（コントロール群）ｎ＝７と、超音波検査によって診断された脂肪肝症例（脂肪肝群）ｎ＝４について、本発明の磁気共鳴撮像装置とデータ処理装置とを用いて脂肪含有率を算出した。図６は、本発明の磁気共鳴撮像装置とデータ処理装置とを用いたときの、コントロール群と脂肪肝群の各々における脂肪含有率をプロットした図である。コントロール群については平均２．１％であるのに対して、脂肪肝群の平均脂肪含有率は１４．６％であり、有意義に大きかった。したがって、本発明は、臨床的にも非常に有意義である。
【産業上の利用可能性】
【００４２】
本発明のデータ処理装置は、例えば、脂肪肝の診断や治療効果判定、脂肪化を伴った肝細胞癌の検出及び評価、放射線照射に伴う脂肪変性の検出など、様々に使用可能である。また、エコー画像データから脂肪画像や水画像を生成する処理など、様々な処理に応用可能であり、これらの処理についても、位相周期のズレやＴ２＊減衰の影響を補正して、高精度の処理を行うことができる。
【図面の簡単な説明】
【００４３】
【図１】（ａ）は第１の実施の形態の磁気共鳴撮像装置とデータ処理装置を説明する説明図、（ｂ）はそのデータ処理装置により実現されるデータ処理方法を説明する概略フローチャート。
【図２】フィッティングカーブと、そのフィッティングカーブにＴ２＊減衰補正を行ったカーブを示す図。
【図３】（ａ）は第２の実施の形態の磁気共鳴撮像装置とデータ処理装置を説明する説明図、（ｂ）はそのデータ処理装置により実現されるデータ処理方法を説明する概略フローチャート。
【図４】種々の中性脂肪重量百分率（％）封入したファントムを説明する説明図。
【図５】実施例と、各比較例１〜５について、実際の脂肪含有率と、算出された脂肪含有率との関係をグラフ化した図であり、（ａ）は実施例と比較例１に関するものであり、（ｂ）は比較例２，３，４に関するものであり、（ｃ）は比較例５に関するものである。
【図６】本発明の磁気共鳴撮像装置とデータ処理装置とを用いたときの、コントロール群と脂肪肝群の各々における脂肪含有率をプロットした図。
【符号の説明】
【００４４】
Ｅ    磁気共鳴装置
Ｓ１，Ｓ２  データ処理装置
Ｃ１  フィッティングカーブ
Ｃ２  フィッティングカーブをＴ２＊減衰補正したカーブ
【図１】
2006149583.tif 000012
【図２】
2006149583.tif 000013
【図３】
2006149583.tif 000014
【図４】
2006149583.tif 000015
【図５】
2006149583.tif 000016
【図６】
2006149583.tif 000017